(57)【要約】【課題】電子メールを用いない直接的かつ対等なピアーツーピアコミュニケーションを図れる情報端末を提供する。【解決手段】表示装置とペン入力手段を備えた情報端末において、ネットワーク接続手段同士を、電子メールサーバを介さずに直接つなぐことにより、情報端末に表示されているハードコピー情報の上に、追加の注釈などのコメントをペンによる手書きで書込み、それらの転送や取得を対等に行う。電子メールを用いない直接的なコミュニケーションが可能となり、また紙に印刷せずに、コメントを手書きで簡便に得ることが可能となる。【選択図】  図１
2004159210.tif 000002
【特許請求の範囲】
【請求項１】
ネットワーク接続可能な２以上の情報端末間における情報通信システムであって、
前記情報端末は、表示手段、ペン入力手段、ネットワーク接続手段を有し、
第１の情報端末は、前記ペン入力手段により前記表示手段に書き込んだ情報を、前記ネットワーク手段を用いて、所定の形式で特定される送信先情報に対応する第２情報端末に送信し、
前記第２情報端末は、前記情報を受信した後、前記第２情報端末の表示手段に表示し、該表示された情報に前記ペン入力手段を用いて追加の情報を入力することを特徴とする情報通信システム。
【請求項２】
請求項１記載の情報通信システムであって、
前記所定の形式で特定される送信先情報は、ＩＰアドレスまたはホスト名であることを特徴とする情報通信システム。
【請求項３】
請求項１記載の情報通信システムであって、
前記第２の情報端末は、前記追加入力した情報を前記第１の情報端末または他の情報端末に送信することを特徴とする情報通信システム。
【請求項４】
２以上の情報端末が接続された情報通信システムにおける情報端末であって、ペン入力手段、表示手段、ネットワーク接続手段、ＣＰＵ、メモリ、電子ノート機能プログラムを有し、
当該情報端末は、
前記ＣＰＵにより前記電子ノート機能プログラムを実行して前記表示手段に前記ペン入力手段を用いて入力した情報を前記画面上に表示し、
前記ネットワーク手段を用いて、前記情報を所定の形式で特定される送信先情報に対応する第２情報端末に送信することを特徴とする情報端末。
【請求項５】
請求項４記載の情報端末であって、
前記所定の形式で特定される送信先情報は、ＩＰアドレスまたはホスト名であることを特徴とする情報端末。
【発明の詳細な説明】
【０００１】
【発明の属する技術分野】
本発明は、ＰＣ（パーソナルコンピュータ）や情報家電端末あるいは携帯情報端末といった人と人とのコミュニケーションを取り持つ情報端末に関するものである。
【０００２】
【従来の技術】
情報端末を用いたコミュニケーション手法として、電子メールをやりとりする手法がある（例えば、特許文献１参照）。この特許文献１では、手書きでのコメントといった上書き情報を電子メールでやりとりする点に特徴がある。
【０００３】
また、手書きのメモを電子化する手法として、電子ノートと称されるペンを用いた情報端末の形態が考えられる（例えば、特許文献２参照）。この特許文献２では、ペンを用いて、電子的に実現されたノート上にメモを取ったりなどの記述操作が可能なものである。
【０００４】
【特許文献１】
特開平１１−１４３７９４号公報
【特許文献２】
特開２００１−０３４２６０号公報
【０００５】
【発明が解決しようとする課題】
先にあげた特許文献１では、コミュニケーションの媒体に電子メールを用いているために、電子メールサーバが存在しなければ、人と人との間のコミュニケーションを図ることが出来なかった。
【０００６】
また、特許文献２では、他の情報端末とのコミュニケーション手法については、一切触れておらず、これからのユビキタスネットワーク社会に相応しい情報端末として、検討の余地があった。
【０００７】
【課題を解決するための手段】
以上のような課題を解決するために、ネットワーク接続手段を備え、電子メールではなく、ピアーツーピアで直接情報のやりとりが行える電子ノートプログラム機能を備えた情報端末の提供を行う。
【０００８】
また、コミュニケーション手法として、表示画面のハードコピーの上に手書きメモを書き込める機能を備え、相手から受け取ったハードコピーにコメントを書き込んで、返送する機能を備える。
【０００９】
また、転送するだけでなく、取得ボタンを用意し、押すことで相手側の表示画面情報を取得することも可能な情報端末の提供を行う。
【００１０】
また、専用の情報端末だけでなく、ＰＣ（パーソナルコンピュータ）版の電子ノートプログラムを用意することで、相互にコミュニケーション可能とする。
【００１１】
【発明の実施の形態】
以下、本発明を図１からの図面を用いて説明する。
【００１２】
最初に、図１１と図１２を用いて、従来の技術と本発明との違いについて説明を行う。
【００１３】
図１１は、従来の技術におけるメール送受信システム図であり、１１０１はメールサーバ、１１０２と１１０３は情報端末、１１０４は接続要求、１１０５はメール送信、１１０６は接続要求、１１０７はメール受信、１１０８と１１０９はメールクライアントである。図１１はＩＰネットワーク上に２台の情報端末とメールサーバが存在しているといった模式的な図を示したものである。
【００１４】
情報端末１１０２は、メール（電子メール）を情報端末１１０３に送信する際、メールサーバ１１０１に対し接続要求１１０４を出す。接続されたら続いてメール送信１１０５を実行し、メール送信動作を行う。情報端末１１０３は、メールを受信するために、まず接続要求１１０６をメールサーバ１１０１に出し、接続されたら続いてメール受信１１０７を実行し、メールの受信動作を行う。以上説明したように、ある情報端末から相手の情報端末に電子メールを送る場合、間にメールサーバが介在するのがメール送受信システムの特徴である。
【００１５】
図１２は、本発明における情報端末の情報送受信システムの概念図であり、１２０１、１２０２は情報端末、１２０３、１２０４は情報送信手段、１２０５、１２０６は情報受信手段、１２０７は送信データ、１２０８は受信データである。図１２では、ＩＰネットワーク上に２台の情報端末が存在していることを模式的な図で示したものである。
【００１６】
情報端末１２０１は、相手の情報端末１２０２に送信データ１２０７を送る場合、情報送信手段１２０３を用いて、伝達したい情報を伝える。情報端末１２０２は、情報受信手段１２０５を用いて、伝達された情報を受け取る。また情報端末１２０２は、情報送信手段１２０４を用いて、相手側に伝達したい情報を伝え、情報端末１２０１は、情報受信手段１２０６を用いて、伝達された情報を受け取る。図１２では、図１１で示した従来の技術のように電子メールを送る機能だけに限定していないが、伝達したい情報が電子メールの形で送られても良い。
【００１７】
図１２における本発明の特徴は、図１１に示したメールサーバ１１０１が存在せず、ピアーツーピアで、情報伝達が実現することにある。ここで、実際のＩＰネットワーク上では、２台以上の情報端末が存在することが一般的に考えられるが、情報を伝達したい相手の情報端末がＩＰネットワーク上で、一意のＩＰアドレスを備えていれば図１１のようにメールサーバが無くても相手を特定することが可能である。またＩＰアドレスの一意性確保のために、現在一般的に用いられているＩＰｖ４（ＲＦＣ７９１）による３２ビットのアドレスの代わりに、ＩＰｖ６（ＲＦＣ２４６０）による１２８ビットのアドレスを用いても良い。
【００１８】
図１は本発明の全体を示すシステム概観図であり、１と６は情報端末、２と７はペン入力手段、３と８はペン、４と９は表示装置、５と１０はネットワーク接続手段である。
【００１９】
図１では、情報端末１と情報端末６の間で通信を行うことを示している。情報端末１には表示装置４と、その上に透明なペン入力手段２が備えられており、ペン３を用いて使用者の手書きの図形情報をペン入力手段２を通じて入力し、表示装置４に表示される。情報端末１にはネットワーク接続手段５が備えられており、書き込んだ手書きの図形情報を、もう一台の端末である情報端末６に直接送信することが可能である。情報端末６は受け取った手書きの図形情報を表示装置４に表示することが可能である。
【００２０】
図１では、ネットワーク接続手段５という形で、先に説明を行った図１２の情報送信手段１２０３と情報受信手段１２０５を実現している。
【００２１】
この実施例では、情報端末上に書き込んだ手書きの図形やメモを、他の情報端末に送信し表示させることによって、遠隔地に離れていてもネットワークを通じて、情報伝達可能といった効果がある。
【００２２】
ペン入力手段２と７は、例えば、ペンで押したことが電気抵抗の変化で判明可能なタッチパネルや、あるいは磁界の変化で判明可能な電磁誘導ディジタイザであっても良い。また表示装置の上ではなく、裏側にあっても良い。この実施例では、ネットワーク接続手段を通じて直接ＩＰアドレスやホスト名などで接続し、相手の情報端末とやりとりを行うため、図１２を用いて先に説明したように、電子メールサーバなどは不要なシステムとなっている。また表示装置４は、液晶や有機エレクトロルミネッセンスを用いたものなど、薄いものであれば、種別は問わない。
【００２３】
図２は図１の情報端末１の内部ブロック図を示す図であり、２はペン入力手段、４は表示装置、５はネットワーク接続手段、１１はＣＰＵ、１２はメモリ、１３はバッテリ、１４はストレージ、１５はＯＳ、１６は電子ノート機能プログラム、１７はユーザ領域、１８はＢＩＯＳ、１９はＶＲＡＭである。
【００２４】
情報端末１はＣＰＵ１１によって、全体が制御されており、バッテリ１３によって各部に電力が供給されている。ＣＰＵ１１にはシステムバスを通じて、ストレージ１４、メモリ１２、ネットワーク接続手段５、ＢＩＯＳ１８、ＶＲＡＭ１９、表示装置４、ペン入力手段２が接続されている。
【００２５】
本実施例において、ネットワーク接続手段５は、ネットワークインターフェイスカードであるＮＩＣとアンテナで構成された無線ＬＡＮ形式のものであるが、有線ＬＡＮなど、その他の接続手段であっても良い。ＣＰＵ１１がＶＲＡＭ１９に表示したい情報を記述すると表示装置４に実際に表示される。表示装置４にはペン入力手段２が接続されており、表示装置上に図１で示したペン３を用いて、書き込んだ位置座標情報や押した／押していないと言った情報がＣＰＵ１１に伝えられる。電源オフの状態から電源ボタン（図示せず）を押して、情報端末１を起動するとバッテリ１３から各部へ電力が供給され、ＣＰＵ１１はＢＩＯＳ１８のプログラムから動作を始める。次にストレージ１４に格納されたオペーレーティングシステムであるＯＳ１５をメモリ１２に展開し、実行する。
【００２６】
次に電子ノート機能プログラム１６をメモリ１２に展開し、情報端末１の電子ノートとしての実行処理を行う。ここで、ＢＩＯＳ１８は、単なるブートローダ機能を備えた最小構成のものでも良い。この電子ノート機能プログラム１６については、図３と図４を用いて説明を行う。
【００２７】
図３は、図１で示した情報端末１のより詳しい概観図であり、４は表示装置、５はネットワーク接続手段、２０は新規作成ボタン、２１はファイルオープンボタン、２２はファイルセーブボタン、２３はハードコピー送信ボタン、２４はハードコピー取得ボタン、２５は電子ノート画面送信ボタン、２６は電子ノート画面取得ボタン、２７はペンの太さボタン、２８はペンの色ボタン、２９は電源ボタンである。
【００２８】
情報端末１の一面に表示装置４が備えられており、電源ボタン２９とネットワーク接続手段５が備えられている。表示装置４の上部には２０から２８の各種ボタンが表示されていて、図１のペン３で押すことで操作可能である。表示装置４のボタン以外の下部が実際に、ペン３を用いて手書きでメモなどを書込み可能な領域であり、ペンの太さボタン２７やペンの色ボタン２８で選んだ種別の線が表示装置４の上に描画される。またこの領域にハードコピー情報を表示させることが可能である。
【００２９】
図３の実施例では、２０から２８の各種ボタンは、ソフト的に実現されており、表示装置４の上に表示されているが、これらは機械的な電気スイッチであっても良い。
【００３０】
図４は、情報端末１の内部プログラムである電子ノート機能プログラム１６の動作フローを示す図であり、４００１から４０１１の番号を用いて、処理の流れを示す。図３における電源ボタン２９が押され、電子ノート機能プログラム１６が動作始めると処理４００１から処理４００２へ移り、ペン入力の処理を行う。
実際に図１のペン３によって手書きメモなどが書き込まれると処理４００３に移り、図２のペン入力手段２から位置座標情報や押した／押さないなどの情報を処理し、表示装置４に表示を行う。
【００３１】
その後、処理４００４に移り、電子ノート画面送信ボタン２５が押されていた場合、処理４００５に移り、現在、表示装置４の書込み可能領域に表示されている手書きメモや後述するハードコピー情報を、他の情報端末（図１では情報端末６）にネットワーク接続手段５を通じて送信を行う。もし電子ノート画面送信ボタンが押されていなかった場合、処理４００６に移り、ハードコピー取得ボタン２４が押されたかどうか判断を行う。もし押されていた場合には、処理４００７に移り、ハードコピー取得要求を、他の情報端末に送り、相手側の表示装置のハードコピーを受信し表示を行う。
【００３２】
ハードコピー取得ボタン２４が押されていない場合には、処理４００８に移り、相手側の情報端末からのハードコピー取得要求の有無を確認し、もし取得要求ありの場合には、表示装置４に表示されている情報をハードコピー情報として相手側の情報端末に送る。その後、もし電源ボタン２９が押されていたら、処理４０１１に移り電源ＯＦＦ処理を進め、バッテリ１３からの電源供給を遮断する。
電源ボタン２９が押されていなければ、フローの最初に戻すために、処理４００２に処理を移す。
【００３３】
以上説明を行った一連の動作フローによって、電子ノート機能プログラム１６は、手書きメモの入力と表示、相手側情報端末の表示内容（ハードコピーを含む手書きメモ情報）の取得と表示、あるいは自情報端末の表示内容の送付を行い、情報端末間でのコミュニケーションを行う。ここで、情報端末間の接続において、相手の情報端末を特定するために、ＩＰアドレスか、あるいはホスト名を用いることを想定しているが、他の表現方法でも良い。
【００３４】
図５は、情報端末１内部における図２に示したストレージ１４のユーザ領域１７に格納されている描画ファイルと実際に表示されている情報との関係を示す図である。
【００３５】
１４はストレージ、１７はユーザ領域、３２はハードコピーデータファイル、３３はストロークデータファイル、３０は手書きメモ表示レイヤー、３１はハードコピー表示レイヤーである。
【００３６】
図４では、電子ノート機能プログラム１６を簡単に説明を行ったが、図３に示したファイルセーブボタン２２を押すと、表示装置３上に表示されているハードコピー情報と手書きメモ情報は、それぞれハードコピーデータファイル３２、ストロークデータファイル３３として、一枚一枚個々にストレージ１４内のユーザ領域１７に格納される。表示装置４の上では、ハードコピー情報のみ、手書きメモ情報のみ、あるいは両方共の３通りの表示状態が考えられるが、そのいずれの場合にも、手書きメモ表示レイヤー３０とハードコピー表示レイヤー３１を重ねて表示を行う。
【００３７】
図６は本発明の他の実施例を説明する図であり、３４はＰＣ（パーソナルコンピュータ）、３５は表示装置、３６はネットワーク接続手段である。
【００３８】
このＰＣ３４は、図１の情報端末１と比べてキーボードを備えるといった違いがあるが、他の入力機器であってもよい。
【００３９】
図７はＰＣ３４の内部ブロック図であり、３５は表示装置、３６はネットワーク接続手段、３７はＣＰＵ、３８はストレージ、３９はＯＳ、４０は電子ノート機能プログラムＰＣ版、４１はユーザ領域、４２はメモリ、４３はバッテリ、４４はＢＩＯＳ、４５はＶＲＡＭ、４６は表示装置、４７はキーボード、４８はポインティングデバイスである。
【００４０】
図７において、図２で説明を行った情報端末１と比べ、備えるデバイスが一部異なるが、それほど大きく変わってはいないため、異なる点のみ説明を行う。ストレージ３８の内部には、電子ノート機能プログラムＰＣ版４０が格納されており、ＰＣ３４でも、情報端末１と同様、電子ノート機能を備えている。表示装置４６には、情報端末１のようなペン入力手段７を備えていないが、備えたＰＣを想定することは、もちろん可能である。キーボード４７とポインティングデバイス４８を備え、操作者による入力操作が可能である。
【００４１】
図８は、ＰＣ３４の表示画面３５の説明図であり、図３と異なる部分のみ説明を行う。４９は表示ウィンドウであり、５０は終了ボタン、１００は電子ノート画面、１０１はハードコピー情報である。
【００４２】
図８では、表示画面３５の中に表示ウィンドウ４９が表示されている。また表示ウィンドウ４９の中に電子ノート画面１００が存在する。
【００４３】
図７で示した電子ノート機能プログラムＰＣ版４０は、ＰＣ３４におけるアプリケーションプログラムであるため、実行中は図８に示すようにＧＵＩ画面上で、表示ウィンドウ４９として表示される。電子ノート機能プログラムＰＣ版４０を終了させるために、終了ボタン５０を用いる。
【００４４】
表示装置３５に表示されている情報すなわちハードコピー情報１０１の全てが、図５で説明を行ったハードコピーデータファイル３２として扱うことになるが、実際のハードコピー取得や送信処理の場合には、表示ウィンドウ４９すなわち電子ノート機能プログラムＰＣ版４０の表示が余分なものと捉える場合が考えられる。その際には、ハードコピーデータファイル３２作成時に、表示ウィンドウ４９の表示を止めるために一旦取り除いて処理を行う。
【００４５】
図９は、ＰＣ３４における電子ノート機能プログラムＰＣ版４０の内部動作フローである。図４において説明を行った処理フローと異なる点は、図４の処理４００２のペン入力が、図９の処理９００２では、ポインティングデバイス入力に変更されている。また図４の処理４０１０の電源ボタンと処理４０１１の電源ＯＦＦが、図９の処理９０１０では、終了ボタンに、処理９０１１では、電子ノートプログラム終了に変更されている。しかしながら残りの処理に違いは無い。
【００４６】
従って、図９に示す一連の処理フローによって、ＰＣ３４にも電子ノート機能の動作を実行可能である。
【００４７】
図１０は、これまで説明を行ってきたＰＣ３４と情報端末１とのコミュニケーション動作を説明した図であり、４６と４は表示装置、３６と５はネットワーク接続手段、３はペンである。
【００４８】
ＰＣ３４と情報端末１は、いずれも電子ノート機能プログラムを備えているために、お互いに表示装置のハードコピーや手書きメモを、やりとりすることが可能である。
【００４９】
図１０では、ＰＣ３４の表示画面４６に、「ＡＢＣ  ＤＥＦＧ」という文字列が表示されている際、情報端末１に、ネットワーク手段３６とネットワーク手段５を直接通じて転送を行った後、表示装置４に、同じ文字列が表示されている状態を示す。ここで情報端末１の操作者は、コメントとして、ペン３を用いて、「ＡＢＣ」の上にバツを、また「ＤＥＦＧ」の上にマルを書いて、ＰＣ３４に返そうとしているところである。
【００５０】
ここで、ＰＣ３４における表示装置４６上に表示されている「ＡＢＣ  ＤＥＦＧ」は、例えばワープロソフトの表示画面なのか、ポィンティングデバイス４８による手書き文字なのか限定していないが、情報端末１に送られたものは、ハードコピーと考えることができるため、その上から、ペン３によるコメントを手書きで入れた状態である。
【００５１】
以上説明したように、ＰＣ３４の操作者が会社組織での部下であり、情報端末１の操作者が同じく上長であると仮定すると、部下はＰＣ３４の上で作成したドキュメントのハードコピーを、上長が扱う情報端末１に送り、ペン３の操作でコメントを頂き、返送してもらうといった使い方が可能である。また、この転送操作の際、電子ノート機能しか用いていないために、メールサーバを介した電子メールによるコミュニケーションではないことは自明である。その結果、作成したドキュメントを電子メールの添付ファイルとして送付したり、あるいは印刷して、直接手渡すよりも、非常に簡便である。
【００５２】
図１３は手書きメモ入力と表示の動作フローであり、図４の４００３や図９の９００３の内部動作を説明するものである。手書きメモ入力があった場合、１３０１から１３０２に移り、ポインティングデバイスである図２のペン入力手段２にペン３によって、ペン入力手段２がペン３によって押されている間、単位時間ごとに座標情報をストロークデータとして取得する。次に１３０３に移り、取得したストロークデータをストロークデータファイル３３として、ストレージ３８に保存する。続いて１３０４に移り、ストロークデータファイルに格納したストローク情報を用いて、ＶＲＡＭ４５のＸＹ座標に実線の描画を実施する。以上説明をしたように、ペン３によって入力された手書きメモは、ストロークデータファイル３３として、ストレージ３８に保存しながら、同時にＶＲＡＭに描画されるためにあたかも紙に筆記用具で書き込んだような感じの動作を行う。
【００５３】
図１４は電子ノート機能の説明図であり、電子ノート画面１００の上に、ペン３を用いて横線を書き込んだことを例に説明を行う。ペン３によって書き込まれた手書きメモは、図１４の下部に示したストロークデータファイル３３（ここではＸＭＬ形式）として格納されており、書込み初めてから単位時間ごとに、Ｘ軸座標が１０，２０，３０と変化している状態を示している。以上説明を行ったようにストロークデータファイル３３は、横線の始まりと終わりの座標だけでなく、単位時間ごとの座標も格納されている。
【００５４】
図１５は、電子ノート画面ネットワーク送信処理動作フローであり、１５０１からの数字を用いて説明を行う。電子ノート画面１００の送信処理が必要な場合、１５０２へ移りＶＲＡＭ４５から電子ノート画面１００に表示されているイメージ情報の取得を行う。続いて１５０３へ移り、電子ノート画面１００に書き込まれたストロークデータファイル３３をストレージ３８から取得する。続いて１５０４へ移り、ネットワーク接続手段３６に、取得した電子ノート画面１００とストロークデータファイル３３の情報を転送する。
【００５５】
図１６はハードコピー情報ネットワーク受信処理と表示の動作フローであり、１６０１からの数字を用いて説明を行う。相手の情報端末の表示画面に表示されているハードコピー情報１０１を受信し、表示処理を行う場合、１６０２へ移り、ネットワーク接続手段３６からハードコピー情報１０１を受け取る。続いて１６０３へ移り、受け取ったハードコピー情報１０１をＶＲＡＭ４５に転送し、表示画面上に表示される。
【００５６】
図１７はハードコピー情報取得処理とネットワーク送信処理の動作フローを示しており、１７０１からの数字を用いて説明を行う。情報端末自身の表示画面に表示されているハードコピー情報を取得し送信する場合、まず１７０２へ移り、ＶＲＡＭ４５からハードコピー情報１０１を取得する。続いて１７０３へ移り、取得したハードコピー情報１０１をネットワーク接続手段３６に転送する。
【００５７】
以上説明を行った図１６と図１７の機能がそれぞれの情報端末で実行されることで、相手の情報端末の表示画面に表示されている画像イメージがハードコピー情報として、やりとりされるといった動作を実施する。ここで、情報端末間の通信プロトコルについては、特に限定していないが、例えばファイル転送プロトコル（ＦＴＰ）などを用いることで実現可能である。
【００５８】
また、以上説明を行ったハードコピー情報１０１は、ビットマップファイルと呼ばれる非圧縮の画像イメージデータであっても良いし、圧縮された画像イメージファイルであっても良い。
【００５９】
以上述べたように本願発明によれば、（１）表示装置とペン入力手段を備えた情報端末であって、ネットワーク接続手段を用いて電子メールサーバを介さずに直接ピアツーピアで接続し、情報端末に表示されているハードコピー情報の上に、追加の注釈などのコメントをペンによる手書きで書込み、それらの転送や取得を対等に行う情報端末、（２）ＰＣ版電子ノート機能ソフトウェアと、ピアツーピアでやりとり可能な電子ノート機能を備えた情報端末装置、（３）相手の情報端末における表示装置のハードコピーを取得し、その上に手書きメモを書込み、返送可能な情報端末、（４）相手の情報端末の表示画面のハードコピー情報を、取得ボタンを押すことで、取得可能な情報端末、（５）ペーパーレスコミュニケーションを実現するピアーツーピアネットワーク対応電子ノート型情報端末の提供が可能である。
【００６０】
尚、上述の電子ノート機能を備えた情報端末やＰＣは、ドキュメントを本発明を用いて提出し、コメントを貰って返してもらうと言った一般的な操作の他、直接取得要求を出して、受け取ることも可能である。
【００６１】
また、表示装置のハードコピーと手書きメモしか扱っていないために、アプリケーションプログラムのインストール状況によって、どちらか一方でしか扱えないドキュメントもハードコピーの形で、他方で表示し、コメントを書き込むといった使い方も可能である。
【００６２】
また、電子メールサーバや、紙に印刷といった余計な設備や費用を用いることもないといった特徴も併せ持つ。
【００６３】
【発明の効果】
本発明によれば、手書きメモや、表示装置のハードコピー等のデータを、ネットワークを介して、ピアーツーピアで直接通信することが可能となる。
【図面の簡単な説明】
【図１】図１は本発明の全体を示すシステム概観図。
【図２】図２は実施例における情報端末の内部ブロック図。
【図３】図３は実施例における情報端末の概観図。
【図４】図４は実施例における情報端末の内部動作フロー。
【図５】図５は実施例における情報端末内ストレージ内ファイルと表示との関係図。
【図６】図６は他の実施例におけるＰＣ概観図。
【図７】図７は他の実施例におけるＰＣ内部ブロック図。
【図８】図８は他の実施例におけるＰＣの表示画面。
【図９】図９は他の実施例におけるＰＣの内部動作フロー。
【図１０】図１０は他の実施例全体を示すシステム概観図。
【図１１】図１１は従来の技術におけるメール送受信システム図。
【図１２】図１２は実施例における情報端末の情報送受信システム図。
【図１３】図１３は手書きメモ入力と表示の動作フロー。
【図１４】図１４は電子ノート機能の説明図。
【図１５】図１５は電子ノート画面ネットワーク送信処理動作フロー。
【図１６】図１６はハードコピー情報ネットワーク受信処理と表示の動作フロー。
【図１７】図１７はハードコピー情報取得処理とネットワーク送信処理の動作フロー。
【符号の説明】
１．．．情報端末
２．．．ペン入力手段
３．．．ペン
４．．．表示装置
５．．．ネットワーク接続手段
６．．．情報端末
７．．．ペン入力手段
８．．．ペン
９．．．表示装置
１０．．．ネットワーク接続手段
１１．．．ＣＰＵ
１２．．．メモリ
１３．．．バッテリ
１４．．．ストレージ
１５．．．ＯＳ
１６．．．電子ノート機能プログラム
１７．．．ユーザ領域
１８．．．ＢＩＯＳ
１９．．．ＶＲＡＭ
２０．．．新規作成ボタン
２１．．．ファイルオープンボタン
２２．．．ファイルセーブボタン
２３．．．ハードコピー送信ボタン
２４．．．ハードコピー取得ボタン
２５．．．電子ノート画面送信ボタン
２６．．．電子ノート画面取得ボタン
２７．．．ペンの太さボタン
２８．．．ペンの色ボタン
２９．．．電源ボタン
３０．．．手書き文字表示レイヤー
３１．．．ハードコピー表示レイヤー
３２．．．ハードコピーデータファイル
３３．．．ストロークデータファイル
３４．．．ＰＣ
３５．．．表示装置
３６．．．ネットワーク接続手段
３７．．．ＣＰＵ
３８．．．ストレージ
３９．．．ＯＳ
４０．．．電子ノート機能プログラムＰＣ版
４１．．．ユーザ領域
４２．．．メモリ
４３．．．バッテリ
４４．．．ＢＩＯＳ
４５．．．ＶＲＡＭ
４６．．．表示装置
４７．．．キーボード
４８．．．ポインティングデバイス
４９．．．表示ウィンドウ
５０．．．終了ボタン
【図１】
2004159210.tif 000003
【図２】
2004159210.tif 000004
【図３】
2004159210.tif 000005
【図４】
2004159210.tif 000006
【図５】
2004159210.tif 000007
【図６】
2004159210.tif 000008
【図７】
2004159210.tif 000009
【図８】
2004159210.tif 000010
【図９】
2004159210.tif 000011
【図１０】
2004159210.tif 000012
【図１１】
2004159210.tif 000013
【図１２】
2004159210.tif 000014
【図１３】
2004159210.tif 000015
【図１４】
2004159210.tif 000016
【図１５】
2004159210.tif 000017
【図１６】
2004159210.tif 000018
【図１７】
2004159210.tif 000019